(57)【要約】【課題】  着信時、通話相手の識別情報とともにその通話相手を思い出すのに役立つ情報を自動的に電話帳登録することができる電話端末を提供する。【解決手段】  制御部１は、着信があったとき、通話相手の音声データを受信音声バッファ１２に記録し、通話終了時、記録した音声データの中から特定フレーズの音声データを抽出し、これと発信者ＩＤとを用い、電話帳メモリ１１における新規通話相手レコードの登録または既存の通話相手レコードの更新を行う。また、ブラウザ２３は、電話帳メモリ１１の検索の際、検索した通話相手レコードに含まれる音声データを音声出力部６から音声として出力させる。【選択図】      図１
2007049257.tif 000002
【特許請求の範囲】
【請求項１】
ネットワークにおける通話相手の識別情報とこの識別情報以外の情報とを含む通話相手レコードを記憶する電話帳メモリと、
通話中に受信される通話相手の音声データを記憶する記憶手段と、
ネットワークを介して取得された通話相手の識別情報と前記記憶手段に記憶された通話相手の音声データの一部とを含む通話相手レコードを前記電話帳メモリに登録する電話帳登録手段と、
音声データを音声として出力する音声出力手段と、
前記電話帳メモリを検索し、検索した通話相手レコードに含まれる音声データを前記音声出力手段に音声として出力させる検索手段と
を具備することを特徴とする電話端末。
【請求項２】
前記電話帳登録手段は、前記記憶手段に記憶された通話相手の音声データの中から特定フレーズの音声データを抽出し、前記電話帳メモリに登録することを特徴とする請求項１に記載の電話端末。
【請求項３】
表示手段と、
前記電話帳メモリに記憶された複数の通話相手レコードの音声データ同士を比較し、同一人物に関する通話相手レコード同士を対応付ける発信者同定手段とを具備し、
前記検索手段は、ある通話相手レコードを検索した場合において、前記発信者同定手段によって当該通話相手レコードに対応付けられた通話相手レコードの中に氏名データが含まれる場合にその氏名データを前記表示手段に表示させることを特徴とする請求項１に記載の電話端末。
【請求項４】
電話端末毎に、通話相手のネットワークにおける識別情報とこの識別情報以外の情報とを含む通話相手レコードの集合体である電話帳データを記憶する電話帳データベースと、
電話端末から通話相手の識別情報と音声データを受信したとき、前記識別情報と前記音声データの一部の音声データとを含む通話相手レコードを前記電話端末に対応した電話帳データの一部として前記電話帳データベースに登録する電話帳登録手段と、
電話端末からの検索要求に応じて、前記電話端末に対応した電話帳データの検索を行い、検索により得られた通話相手レコードを前記電話端末に送信する検索手段と
を具備することを特徴とするサーバ装置。
【発明の詳細な説明】
【技術分野】
【０００１】
この発明は、電話帳機能を有する電話端末およびサーバ装置に関する。
【背景技術】
【０００２】
周知の通り、電話帳機能は、通話相手の電話番号をその通話相手の氏名等の情報とともにメモリ（以下、電話帳メモリという）に登録しておき、ユーザが発呼の際にこの電話帳メモリ内の所望の通話相手の電話番号を選択して利用することができるようにした機能である。これまで、この電話帳機能の利便性を高めるため、電話帳メモリに未登録の通話相手から着信があった場合に、ネットワークを介して得られる通話相手の電話番号（発信者番号）を電話帳メモリに登録する作業を容易に行いための技術が各種提案されてきた。例えば特許文献１に開示された電話端末では、着信の際、ネットワークを介して取得される発信者番号が電話帳メモリに登録されていない場合に、通話終了時にその電話番号を電話帳メモリに登録することを促すメッセージの表示を行う。また、特許文献２に開示された電話端末では、発信者番号が電話帳メモリに未登録であれば、予め用意した定型の登録名（着信日時）などを発信者番号とともに電話帳メモリに自動登録する。また、特許文献３は、テレビ電話端末に関するものであるが、このテレビ電話端末では、回線接続中に受信した画像を複数画面記録しておき、通話終了時にその中から１つの画面（相手の顔画像）をユーザに選択させ、電話帳メモリに登録する。
【特許文献１】特開２００１−３２０４６９号公報
【特許文献２】特開２００２−１９０８６０号公報
【特許文献３】特開平６−３１９１３７号公報
【発明の開示】
【発明が解決しようとする課題】
【０００３】
ところで、上述した特許文献１に開示の電話端末では、電話帳メモリに未登録の通話相手からの着信の場合に、登録を促すメッセージが表示されるが、この登録の際にユーザはその通話相手の氏名を手入力する必要があり、その作業が面倒であるという問題がある。また、特許文献２に開示の電話端末では、定型の登録名が使用されるため、このような面倒は回避されるが、ユーザは、後に電話帳メモリの検索を行ったときに、そのような定型の登録名を見ても通話相手を思い出すのが困難な場合が多いという問題がある。特許文献３に開示のテレビ電話端末では、相手の顔画像を電話帳メモリに登録することができるため、ユーザは、電話帳メモリに記憶された各通話相手の顔画像を表示部に表示させ、所望の通話相手を選択し、発呼を行うことができる。しかし、この特許文献３の技術では、電話帳メモリへの登録の際、ユーザが複数画面の顔画像の中の１つを選択しなければならないという煩わしさがある。また、この特許文献３の技術はテレビ電話端末にしか適用することができないという問題がある。
【０００４】
この発明は、以上説明した事情に鑑みてなされたものであり、着信時、通話相手の識別情報とともにその通話相手を思い出すのに役立つ情報を自動的に電話帳登録することができる電話端末およびサーバ装置を提供することを目的とする。
【課題を解決するための手段】
【０００５】
この発明は、ネットワークにおける通話相手の識別情報とこの識別情報以外の情報とを含む通話相手レコードを記憶する電話帳メモリと、通話中に受信される通話相手の音声データを記憶する記憶手段と、ネットワークを介して取得された通話相手の識別情報と前記記憶手段に記憶された通話相手の音声データの一部とを含む通話相手レコードを前記電話帳メモリに登録する電話帳登録手段と、音声データを音声として出力する音声出力手段と、前記電話帳メモリを検索し、検索した通話相手レコードに含まれる音声データを前記音声出力手段に音声として出力させる検索手段とを具備することを特徴とする電話端末を提供する。
かかる発明によれば、通話相手の音声データの一部を含む通話相手レコードが電話帳メモリに登録され、電話帳メモリの検索の際に、検索された通話相手レコード内の音声データが音声として再生される。従って、ユーザは、この音声を聴くことにより通話相手を思い出すことができる。
また、この発明は、電話端末毎に、通話相手のネットワークにおける識別情報とこの識別情報以外の情報とを含む通話相手レコードの集合体である電話帳データを記憶する電話帳データベースと、電話端末から通話相手の識別情報と音声データを受信したとき、前記識別情報と前記音声データの一部の音声データとを含む通話相手レコードを前記電話端末に対応した電話帳データの一部として前記電話帳データベースに登録する電話帳登録手段と、電話端末からの検索要求に応じて、前記電話端末に対応した電話帳データの検索を行い、検索により得られた通話相手レコードを前記電話端末に送信する検索手段とを具備することを特徴とするサーバ装置を提供する。
この発明においても、電話端末のユーザは、サーバ装置に検索要求を送り、通話相手の音声データを含む通話相手レコードをサーバ装置から取得することができる。従って、この音声データを音声として再生することにより通話相手を思い出すことができる。
【発明を実施するための最良の形態】
【０００６】
以下、図面を参照し、この発明の実施の形態を説明する。
＜第１実施形態＞
図１はこの発明の第１実施形態である電話端末１００の構成を示すブロック図である。図１において、制御部１は、電話端末１００の各部を制御する装置であり、ＣＰＵなどにより構成されている。プログラムメモリ２は、制御部１により実行される各種のプログラムを記憶した不揮発性メモリであり、ＲＯＭなどにより構成されている。ＲＡＭ３は、制御部１が実行するプログラムや同プログラムが使用する各種のデータを記憶するためのワークエリアとして用いられる。制御部１は、プログラムメモリ２内のプログラムをこのＲＡＭ３にロードして実行する。
【０００７】
操作部４は、この電話端末１００の筐体に配備された押しボタンなどの操作子の集合体である。制御部１は、この操作部４の操作を検知することにより、呼び出し先の電話番号や各種のコマンドなど、ユーザによって入力された情報を検知する。表示部５は、時刻や、着信があった場合における発信者の識別情報など、各種の情報の表示を行う装置であり、例えばＬＣＤにより構成されている。音声出力部６は、呼び出しがあったときの呼び出し音の出力など、音声の出力を行う装置であり、例えば音声波形のサンプルデータであるデジタル信号をアナログ信号に変換するＤ／Ａ変換器と、その出力信号を音として出力するスピーカとにより構成されている。
【０００８】
通信インタフェース７は、公衆電話網などの通信ネットワークに接続されており、制御部１による制御の下、この電話端末１００と通話相手の電話端末との間にコネクションを確立し、両電話端末間で音声信号の授受を行うための制御を行う。ハンドセット８は、通話の際に音声の入出力装置としてユーザに使用される装置である。音声処理部９は、通話時、ハンドセット８のマイクから出力されるユーザの音声信号を通信インタフェース７に出力するとともに、この音声信号と通信インタフェース７を介して受信される通話相手からの音声信号と合成した音声信号をハンドセット８のスピーカに供給する装置である。また、この音声処理部９は、着信により通話が開始された場合に、通信インタフェース７を介して得られる受信信号から通話相手の発する声の音声波形を再生し、そのサンプルデータ（以下、音声データという）を制御部１に出力する機能を有している。
【０００９】
電話帳メモリ１１は、任意の通話相手について通話相手レコードを記憶するメモリである。各通話相手レコードは、通信ネットワークにおける通話相手のＩＤ（電話網の場合は電話番号）とその通話相手の氏名を表すテキストデータ（以下、氏名データという）など、通話相手を特定する情報を含む。一般的な電話端末と同様、ユーザは、操作部４の操作により通話相手レコードを作成し、この電話帳メモリ１１に登録することができる。また、ユーザは、操作部４の操作により電話帳メモリ１１の中から所望の通話相手レコードを読み出し、この通話相手レコードに含まれるＩＤを用いて発呼を行うことができる。さらに本実施形態では、通話が終了したとき、通話相手の発信者ＩＤを含む通話相手レコードを自動生成し、電話帳メモリ１１に登録する自動登録機能が電話端末１００に設けられている。本実施形態の１つの特徴は、この自動登録機能において、通話相手を特定する情報として、通話相手から得られた適当な長さの音声データを含む通話相手レコードを電話帳メモリ１１に格納するようにした点にある。また、本実施形態のもう１つの特徴は、この音声データを含む通話相手レコードをユーザが活用し得るようにした点にある。この通話相手の音声データの電話帳メモリ１１への格納およびその活用を可能にするため、電話端末１００には受信音声バッファ１２と音韻データベース１３が設けられており、また、プログラムメモリ２にはそのための各種のプログラムが記憶されている。以下、これらの詳細について説明する。
【００１０】
まず、受信音声バッファ１２は、着信があった場合に通話相手の音声データを記録するためのバッファである。このバッファは、ＲＡＭのような揮発性メモリであってもよく、磁気記録媒体などの不揮発性メモリであってもよい。制御部１は、電話端末１００に着信があった場合、通話期間中、プログラムメモリ２に記憶された所定のプログラムに従い、受信音声記録処理２１を実行する。この受信音声記録処理２１では、音声処理部９から通話相手の声の音声データを取得し、受信音声バッファ１２に順次格納する。
【００１１】
また、制御部１は、この電話端末１００への着信により開始された通話が終了したとき、プログラムメモリ２に記憶された所定のプログラムに従い、音声抽出登録処理２２を実行する。音声抽出登録処理２２では、通話期間の開始から終了までの音声データを受信音声バッファ１２から順次読み出し、その中から特定フレーズを表す音声データを抽出する。ここで、特定フレーズとしては、「こんにちは」、「はじめまして」といった挨拶語や「○○さん」といった呼び掛けなど、電話での通話に頻繁に現れるフレーズが好ましい。「○○さん」といった呼び掛けを特定フレーズとして使用する場合には、電話端末１００の所有者の氏名を操作部４の操作により入力させ、呼び掛けの氏名部分「○○」として使用すればよい。なお、通話相手の音声データが特定フレーズの音声データを含んでいない、あるいは特定フレーズの音声データを含んでいるが発音が不明瞭である等の理由により特定フレーズの音声データの抽出に失敗する場合があり得る。この場合には、音量の安定した適当な長さの音声データを特定フレーズの音声データの代わりに使用する。
【００１２】
本実施形態では、操作部４の操作により指定される任意のテキスト情報を特定フレーズとすることができる。このような任意の特定フレーズの抽出を可能にするため、本実施形態では、音韻データベース１３が設けられている。これは、「あ」、「い」、「う」等の各種の音素について音声波形を特徴付けるパラメータを記憶してなるデータベースである。例えば特定のフレーズが「こんにちは」である場合、音声抽出登録処理２２では、音韻データベース１３を参照して「こんにちは」という音素列のパラメータ群を求め、通話期間の開始から終了までの音声データを解析しつつこれと比較することにより、通話期間の全音声データの中から「こんにちは」に相当する音声データを抽出する。そして、音声抽出登録処理２２では、着信の際に通信インタフェース７を介して得られる発信者ＩＤと、以上のようにして得られた特定フレーズの音声データとを用いて、電話帳メモリ１１に対する新規通話相手レコードの登録または既存の通話相手レコードの更新を行うのである。
【００１３】
ところで、電話帳メモリ１１における通話相手の音声データの登録の態様に関する要求はユーザによって区々であると考えられる。例えばユーザの中には、自分が手入力でＩＤと氏名データとを登録しなかった通話相手だけ氏名データの代わりに音声データを登録しておけばよいと考える者もいると考えられる（以下、このようなユーザを第１のユーザという）。その一方、ユーザの中には、自分が手入力でＩＤと氏名データとを登録した通話相手か否かに拘わらず、なるべく多くの通話相手について音声データを電話帳メモリ１１に登録したいと考える者もいると考えられる（以下、このようなユーザを第２のユーザという）。さらにユーザの中には、電話帳メモリ１１に多くの通話相手の音声データを登録することは勿論のこと、登録される音声データが最新のものであることを望む者もいると考えられる（以下、このようなユーザを第３のユーザという）。このような多様な要求に応えるため、本実施形態では、音声抽出登録処理２２の実行の態様として、次の第１〜第３モードが用意されており、ユーザは、操作部４の操作によりいずれかのモードを選択することができる。
【００１４】
＜＜第１モード＞＞
この第１モードは、上記第１のユーザのために用意されたモードである。この第１モードでは、発信者ＩＤが電話帳メモリ１１内のいずれの通話相手レコードにも含まれていない新規なＩＤである場合に限り、その発信者ＩＤと特定フレーズの音声データとを含む通話相手レコードを生成し、その通話相手レコードに未使用の適当なメモリ番号を付して電話帳メモリ１１に登録する。
【００１５】
＜＜第２モード＞＞
この第２モードは、上記第２のユーザのために用意されたモードである。この第２モードでは次のような処理が行われる。
（１）発信者ＩＤが電話帳メモリ１１内のいずれの通話相手レコードにも含まれていない新規なＩＤである場合に、その発信者ＩＤと特定フレーズの音声データとを含む通話相手レコードを生成し、その通話相手レコードに未使用の適当なメモリ番号を付して電話帳メモリ１１に登録する。
（２）発信者ＩＤが電話帳メモリ１１内のいずれかの通話相手レコードに含まれているが、その通話相手レコードに音声データが含まれていない場合、その通話相手レコードに特定フレーズの音声データを補充する。
上記（２）の処理が実行される典型例として、ある通話相手のＩＤと氏名データからなる通話相手レコードが電話帳メモリ１１に登録されている場合において、その通話相手からの着信があった場合がある。この場合、その時点において取得された通話相手の音声データが上記（２）の処理により通話相手レコードに補充される。
【００１６】
＜＜第３モード＞＞
この第３モードは、上記第３のユーザのために用意されたモードである。この第３モードでは、上記第２モードにおける処理（１）、（２）に加え、次の処理（３）が実行される。
（３）発信者ＩＤが電話帳メモリ１１内のいずれかの通話相手レコードに含まれており、かつ、その通話相手レコードに音声データが含まれている場合、新たに取得されて特定フレーズの音声データにより当該通話相手レコード内の既存の音声データを置換する。
この第３モードでは、通話相手レコードが必ず最新の音声データを含んだものになる。
【００１７】
次に、電話帳メモリ１１に格納された音声データを活用するための手段について説明する。本実施形態では、操作部４の操作により電話帳メモリ１１の検索指示が与えられた場合、制御部１は、プログラムメモリ２内の所定のプログラムに従い、ブラウザ２３を実行する。このブラウザ２３では、ユーザが操作部４の操作により例えばメモリ番号の指定または選択などにより通話相手レコードを特定すると、電話帳メモリ１１の中から該当する通話相手レコードを読み出す。そして、通話相手レコードが氏名データを含む場合にはその氏名データを表示部５に表示する。また、通話相手レコードが音声データを含む場合には、その音声データを音声出力部６に送り、音声として出力させるのである。そして、操作部４の操作により発呼が指令された場合、制御部１は、当該通話相手レコード内のＩＤを用いて発呼を行うのである。以上が本実施形態における通話相手の音声データの格納およびその活用の態様の詳細である。
【００１８】
本実施形態によれば、着信があったとき、その通話相手のＩＤと音声データが電話帳メモリ１１に登録され、ブラウザによる検索の際には、通話相手のＩＤの表示と音声データに基づく音声の出力が行われるので、ユーザは、その通話相手の氏名を手入力で電話帳メモリ１１に登録していない場合においても、その通話相手の音声を聴くことにより、表示されているＩＤが誰のものであるかを知ることができる。
【００１９】
＜第２実施形態＞
次に図２を参照し、この発明の第２実施形態について説明する。同一人物が例えば固定電話と携帯電話とＩＰ電話を所有している等の理由により、複数のＩＤを使用する場合があり得る。そのような場合に、同一人物が所有する全ての電話端末のＩＤに対応付けて、その人物の氏名データを電話帳メモリ１１に登録するのは面倒である。本実施形態は、上記第１実施形態（図１）における制御部１に発信者同定処理２４を実行する機能を追加するとともに、ブラウザ２３に改良を加えることにより、この問題を解決したものである。
【００２０】
上記第１実施形態と同様、本実施形態における制御部１は、電話帳メモリ１１に通話相手レコードが登録されていない通話相手から着信があり、この着信により通話が終了したとき、通話相手のＩＤと音声データを含む通話相手レコードを電話帳メモリ１１に登録する。このとき本実施形態における制御部１は、発信者同定処理２４を実行する。この発信者同定処理２４では、新たに電話帳メモリ１１に登録された通話相手レコードの音声データを、それ以前に登録された各通話相手レコードの音声データと比較し、例えば声紋判定などの手法により、同一人物のものであるかを判定する。そして、同一人物のものであると判定された音声データがある場合には、その音声データを含む通話相手レコードと新たに登録された通話相手レコードとを対応付けるリンク情報を生成し、電話帳メモリ１１に格納する。
【００２１】
図２に示す例では、ＩＤ−ｃと音声データとを含む新たな通話相手レコードが電話帳メモリ１１に登録されたとき、発信者同定処理２４が実行され、この通話相手レコードの音声データとＩＤ−ａを含む通話相手レコード内の音声データとが同一人物のものである旨の判定がなされ、両通話相手レコードを対応付けるリンク情報２５が電話帳メモリ１１に格納されている。その後、ユーザがＩＤ−ｃを含む通話相手レコードの表示を指示したとき、ブラウザ２３は、次の各処理を実行する。まず、ブラウザ２３は、ＩＤ−ｃを含む通話相手レコード内の音声データを音声出力部６により出力させる。次にブラウザ２３は、リンク情報２５によりＩＤ−ｃを含む通話相手レコードと対応付けられたＩＤ−ａを含む通話相手レコードを参照する。その際、ブラウザ２３は、同レコード内に氏名データがあることから、この氏名データを表示部５に表示させるのである。
【００２２】
以上の例では、ＩＤ−ｃを含む通話相手レコードに対応付けられた通話相手レコードがＩＤ−ａを含む通話相手レコードのみであったため、同レコード内の情報のみが参照されたが、他にもリンク情報により対応付けられた通話相手レコードがある場合にはその通話相手レコードの内容も参照される。そして、リンク情報により対応付けられた各通話相手レコードの中に氏名データを含むものが少なくとも1個あれば、その中の１つの通話相手レコード（複数ある場合には例えば最初に見つかった通話相手レコード）の氏名データが表示部５に表示される。
【００２３】
以上説明したように、本実施形態によれば、電話帳メモリ１１に格納される各通話相手レコードのうち同一人物に関するものについてはそれらを対応付けるリンク情報が生成され、ブラウザの実行時にはこのリンク情報により対応付けられた各通話相手レコードを参照して、当該人物の氏名の表示が行われるので、複数の電話端末のうち１台について氏名データを電話帳メモリ１１に登録しておけば、他の電話端末のＩＤを表示させるときにもその氏名を表示させることができる。また、ある人物の電話端末のＩＤが変更になった場合でも、その人物の電話端末からの着信があったとき、新たなＩＤと音声データが電話帳メモリ１１に登録され、その人物の氏名データを含んだ既存の通話相手レコードと対応付けるリンク情報が生成される。従って、変更後のＩＤの電話帳メモリ１１への登録時、その人物の氏名を入力しなくても、その人物に関する既存の通話相手レコードに基づき、氏名の表示を行わせることができる。
【００２４】
＜第３実施形態＞
次に図３を参照し、この発明の第３実施形態について説明する。本実施形態は、上記第１実施形態において電話端末によって行われていた処理の一部、具体的には通話相手から受信した音声データから特定フレーズの音声データを抽出する処理をネットワーク内のサーバ装置２００Ａが負担するようにしたものである。本実施形態における電話端末１００Ａに着信があったときには、次の動作が行われる。まず、電話端末１００Ａは、通話中、受信音声記録処理１０１を実行し、内蔵のバッファに通話相手の音声データを記録する。そして、通話が終了したとき、音声データ送信処理１０２を実行し、バッファに記録した音声データをサーバ装置２００Ａに送信する。サーバ装置２００Ａは、この音声データを受信すると、音声解析処理２０１を実行し、受信した音声データから特定フレーズの音声データを抽出する。そして、サーバ装置２００Ａは、特定フレーズの音声データを電話端末１００Ａに送信する処理２０２を実行する。そして、電話端末１００Ａは、この特定フレーズの音声データを受信すると、電話帳登録処理１０３を実行し、終了した通話の発信者ＩＤと特定フレーズの音声データとを用いて、新規な通話相手レコードの電話帳メモリ１１への登録または既存の通話相手レコードの更新を行うのである。その場合の態様としては、上記第１実施形態において説明した第１〜第３モードの３態様がある。ブラウザによる電話帳メモリ１１の通話相手レコードの活用の態様も、上記第１実施形態と同様である。
【００２５】
本実施形態は、電話端末１００Ａが例えば携帯電話端末などのように大きな処理能力を持たせることが困難なものである場合でも実施が可能であるという利点がある。なお、電話端末１００Ａからサーバ装置２００Ａへ音声データを送ってから特定フレーズの音声データが電話端末１００Ａへ送り返されるまでの時間を短縮するため、電話端末１００Ａ側で送信対象である音声データを圧縮してサーバ装置２００Ａへ送るようにしてもよい。また、さらに時間短縮を行うため、電話端末１００Ａにおいて、通話中、通話相手の音声データを記録する際に、その音声データを圧縮して記録し、通話終了後、直ちに圧縮された音声データをサーバ装置２００Ａに送るようにしてもよい。
【００２６】
＜第４実施形態＞
次に図４を参照し、この発明の第４実施形態について説明する。図４において、サーバ装置２００Ｂは、内蔵の電話帳データベースに、サービス提供相手である各ユーザの電話端末に対応付けて電話帳データ２５０を記憶している。この電話帳データ２５０は、上述した通話相手レコードの集合体である。サーバ装置２００Ｂは、上記第１および第２実施形態の電話端末が有していた電話帳機能をサービス提供相手である各ユーザの電話端末の代わりに実行する機能を備えている。また、サーバ装置２００Ｂには、上記第１実施形態において行われていた音声抽出登録処理２２および第２実施形態において行われていた発信者同定処理２４に相当するものを実行する機能が備わっている。
【００２７】
電話端末１００Ｂは、サーバ装置２００Ｂのサービスの提供を受けるユーザの電話端末である。この電話端末１００Ｂは、着信があると、通話中、受信音声記録処理１１１を実行し、内蔵のバッファに通話相手の音声データを記録する。なお、この音声データの記録の際には、音声データの圧縮を行ってから記録をするようにしてもよい。次に、通話が終了すると、電話端末１００Ｂは、通話相手の発信者ＩＤおよび記録した音声データを送信する処理１１２を実行する。サーバ装置２００Ｂは、このＩＤおよび音声データを受信すると、音声解析および電話帳登録処理２１１を実行する。この処理では、まず、電話端末１００Ｂから受信した音声データから特定フレーズの音声データを抽出する。次に、この特定フレーズの音声データと電話端末１００Ｂから受信した発信者ＩＤとを用い、電話端末１００Ｂの電話帳データ２５０について新規な通話相手レコードの追加登録または既存の通話相手レコードの更新を行う。その態様として、上記第１実施形態における電話端末において行われていた第１〜第３モードがある。いずれのモードを実施するかは、ユーザが所望のモードを指示する情報を電話端末１００Ｂからサーバ装置２００Ｂに送ることにより決定される。さらにサーバ装置２００Ｂは、新規な通話相手レコードを電話帳データ２５０に追加登録した場合に、上記第２実施形態における発信者同定処理２４に相当する処理を電話帳データ２５０に施し、新規な通話相手レコードの音声データと他のいずれかの通話相手レコードの音声データとが同一人物のものであると認められる場合には両者を対応付けるリンク情報を生成し、電話帳データ２５０に付加する。
【００２８】
以上の処理を終えると、サーバ装置２００Ｂは、結果報告処理２１２を実行し、例えば次のような情報を電話端末１００Ｂに送信し、電話端末１００Ｂはこの結果報告を表示部に表示する処理１１３を実行する。
＜＜結果報告の例＞＞
ａ．「メモリ番号○○のＸＸ様からのお電話でした。」
ｂ．「メモリ番号○○で新規通話相手レコードを登録しました。電話帳データに載っていなかった方のようです。」
ｃ．「発信者ＩＤが電話帳データに載っていなかったのでメモリ番号○○で新規通話相手レコードを登録しました。しかし、発信者はメモリ番号◎◎のＹＹ様のようです。」
上記において、ａは発信者ＩＤを含む通話相手レコードが電話帳データ２５０の中にあった場合の結果報告である。また、ｂは発信者ＩＤを含む通話相手レコードが電話帳データ２５０の中になかったので新規な通話相手レコードを電話帳データ２５０に追加登録し、かつ、この新規な通話相手レコードの音声データと同一人物のものであると認められる音声データを含む通話相手レコードが電話帳データ２５０の中から見つからなかった場合の結果報告である。そして、ｃは発信者ＩＤが電話帳データ２５０に載っていなかったので新規な通話相手レコードを電話帳データ２５０に追加登録したが、この新規な通話相手レコードの音声データと同一人物（ＹＹ様）のものであると認められる音声データを含む通話相手レコードが電話帳データ２５０の中から見つかった場合の結果報告である。
【００２９】
電話端末１００Ｂのユーザは、電話端末１００Ｂのブラウザ１１４を起動してサーバ装置２００Ｂとの間にリンクを張るとともにサーバ装置２００Ｂに検索処理２１３を実行させ、ブラウザ１１４および検索処理２１３を介して電話帳データ２５０にアクセスすることができる。具体的には次の通りである。まず、ユーザは、電話端末１００Ｂを操作により生成した通話相手レコードをサーバ装置２００Ｂに送り、自分の電話帳データ２５０に追加登録させることができる。また、ユーザは、電話帳データ２５０の中の所望の通話相手レコードを選択し、この通話相手レコードに対し、電話端末１００Ｂの操作により入力した氏名データを追加することができる。さらにユーザは、電話端末１００Ｂの操作により検索要求をサーバ装置２００Ｂに送り、検索処理２１３において、自分の電話帳データ２５０の中から所望の通話相手レコードを検索させ、その検索の結果を受け取ったり、あるいは電話帳データ２５０を構成する各通話相手レコードを順次受け取って、通話相手のＩＤ、氏名データの表示および音声データの再生を行うことができる。従って、上記各実施形態と同様、ユーザは、通話相手の氏名データが通話相手レコードに含まれておらず、その表示が行われない場合であっても、通話相手レコードに含まれている音声データに基づく音声を聴くことにより、表示されているＩＤが誰のものであるかを知ることができる。
【００３０】
また、本実施形態において電話端末１００Ｂのユーザは、特定の通話相手レコードを指定する情報（例えばＩＤ、メモリ番号、氏名データ）とファミリ送信指示を、ブラウザ１１４によりサーバ装置２００Ｂに送ることができる。この場合、サーバ装置２００Ｂは、その特定の通話相手レコードとリンク情報により対応付けが行われた全ての通話相手レコードを電話帳データ２５０の中から検索し、それらをまとめて電話端末１００Ｂに送信する。電話端末１００Ｂでは、このようにして受信される各通話相手レコードを内蔵のバッファに格納し、ユーザによる操作部の操作に応じて、順次、通話相手レコードを選択し、同通話相手レコード内のＩＤ、氏名データの表示、音声データの再生を行う。従って、ユーザは、同一通話相手に関する全ての通話相手レコードを確認することができる。
【００３１】
以上、この発明の第１〜第３実施形態について説明したが、この発明にはこれ以外にも他の実施形態が考えられる。例えば次の通りである。
（１）特定フレーズは、優先度の異なるものを複数設定するようにしてもよい。例えば優先度１の特定フレーズとして「こんにちわ」、優先度２の特定フレーズとして「もしもし」が設定されている場合、電話端末は、記録した音声データの中に「こんにちわ」の音声データを抽出することができた場合にはそれを通話相手レコードに含め、「こんにちわ」の音声データを抽出することはできなかったが「もしもし」の音声データを抽出することができた場合にはこの「もしもし」の音声データを通話相手レコードに含めるのである。この態様によれば、特定フレーズの音声データの抽出が全体として失敗に終わる確率を低くすることができる。
【００３２】
（２）上記各実施形態では、通話相手から受信した音声データの中から特定フレーズの音声データを抽出したが、特定フレーズの前または後の所定音素数相当または所定時間長の音声データを抽出し、通話相手レコードに含めるようにしてもよい。例えば、通話相手は、「私、○○と申します。」と名乗ることが多いので、「ワタシ」なる音素列の後の所定音素数または所定時間長の音声データを抽出するか、あるいは「トモウシマス」なる音素列の前の所定音素数または所定時間長の音声データを抽出することができれば、名前「○○」の音素列を含む音声データを得て通話相手レコードに含めることができる。また、特定フレーズを含み、かつ、それより広範囲の音声データを抽出し、通話相手レコードに含めてもよい。例えば「カイシャ」や「カブシキガイシャ」を特定フレーズとし、その前後に所定音素数または所定時間長だけ広げた範囲内のフレーズの音声データ（例えば○○株式会社または株式会社○○などの音声データ）を、記録した音声データの中から抽出し、通話相手レコードに含めるのである。この態様によれば、通話相手を音声から特定することがさらに容易になるという利点がある。
【００３３】
（３）上記第１〜第３実施形態において、電話端末は、電話帳メモリに通話相手レコードの登録されていない通話相手からの着信があった場合、その通話相手の発信者ＩＤと特定フレーズの音声データからなる新規通話相手レコードを無条件で電話帳メモリに登録するようにしたが、電話端末は、登録するか否かの選択を促すメッセージを表示部に表示し、登録する旨の指示の入力があった場合に、新規通話相手レコードの登録を行うようにしてもよい。
【００３４】
（４）上記第２実施形態では、新規な通話相手レコードが電話帳メモリ１１に登録されたときに発信者同定処理２４を実行したが、ユーザが操作部４の所定の操作をしたときに、電話帳メモリ１１内の全通話相手レコードの音声データを比較し、同一人物の音声データを含む通話相手レコード同士を対応付けるリンク情報を生成してもよい。
【図面の簡単な説明】
【００３５】
【図１】この発明の第１実施形態である電話端末の構成を示すブロック図である。
【図２】この発明の第２実施形態である電話端末の処理内容を説明する図である。
【図３】この発明の第３実施形態であるサーバ装置および電話端末の処理内容を説明する図である。
【図４】この発明の第４実施形態であるサーバ装置および電話端末の処理内容を説明する図である。
【符号の説明】
【００３６】
１……制御部、１２……受信音声バッファ、１１……電話帳メモリ、１３……音韻データベース、２……プログラムメモリ、３……ＲＡＭ、４……操作部、５……表示部、６……音声出力部、７……通信インタフェース、８……ハンドセット、９……音声処理部、１００，１００Ａ，１００Ｂ……電話端末、２００Ａ，２００Ｂ……サーバ装置。
【図１】
2007049257.tif 000003
【図２】
2007049257.tif 000004
【図３】
2007049257.tif 000005
【図４】
2007049257.tif 000006